(57)【要約】【課題】  ズーム鏡筒の遮光ゴムによる、ズーム鏡筒作動時の負荷を軽減する。【解決手段】  遮光ゴムの内径部のリブを螺旋形状とし、鏡筒のヘリコイドの回転方向にあわせることにより、遮光ゴムが前後にすべる量を減らして、作動負荷を軽減する。【選択図】  図１
2006171196.tif 000002
【特許請求の範囲】
【請求項１】
撮影レンズを内包し、光軸方向に該撮影レンズを作動させるレンズ鏡筒で、該レンズ鏡筒は、少なくとも相対的に外周に配置される第１のレンズ鏡筒と、該第１のレンズ鏡筒の内部に配置される第２のレンズ鏡筒と、該第１のレンズ鏡筒と第２のレンズ鏡筒の嵌合部に配置され、該第１のレンズ鏡筒と第２のレンズ鏡筒の嵌合部から入射する光を遮光する、弾性体からなるリング状の遮光部材とを有し、
該遮光部材は、その内周に該遮光部材と一体に、螺旋状に形成された遮光リブを有することを特徴とするレンズ鏡筒の遮光装置。
【請求項２】
撮影レンズを内包し、光軸方向に該撮影レンズを作動させるレンズ鏡筒で、該レンズ鏡筒は、少なくとも相対的に外周に配置される第１のレンズ鏡筒と、該第１のレンズ鏡筒の内部に、ヘリコイド結合する第２のレンズ鏡筒と、該第１のレンズ鏡筒と第２のレンズ鏡筒の嵌合部に配置され、該第１のレンズ鏡筒と第２のレンズ鏡筒の嵌合部から入射する光を遮光する、弾性体からなるリング状の遮光部材とを有し、
該遮光部材は、その内周に該遮光部材と一体に、前記第１のレンズ鏡筒と第２のレンズ鏡筒のヘリコイドの螺旋方向と同一方向に形成された、螺旋状の遮光リブを有することを特徴とするレンズ鏡筒の遮光装置。
【発明の詳細な説明】
【技術分野】
【０００１】
本発明は、カメラのズームレンズ鏡筒の遮光装置に関する。
【背景技術】
【０００２】
従来より、光軸方向に移動する撮影レンズ鏡筒を備えるカメラにおいて、例えば、カメラ本体に固定された固定筒と、該固定筒の内部に設けられ、ズーム動作等により前後に作動する作動筒とによって構成されたレンズ鏡筒においては、該固定筒と作動筒の嵌合部の隙間から入射する光を遮光するために、遮光部材を設けたレンズ鏡筒が、実公平０５−０３１６３４、実公平０６−０１８３２１、実開平０６−０３７８１１、等、種々の提案がなされている。
【０００３】
以下、図１、図４及び、図５を用いて、本件出願人によって製造されているカメラの遮光装置の従来例に関して説明する。
【０００４】
図１はズームレンズ鏡筒を備えたカメラの外観図を示すもので、１はカメラ本体、２はレリーズボタン、３はズームスイッチである。４〜６はカメラの撮影レンズのズーム鏡筒を構成する筒で、４は固定筒、５は作動筒、６は前群筒である。作動筒５は後述する固定筒４の内周に設けられたヘリコイドと係合し、回転しながら、前後に作動する。前群筒６は図示しない直進筒にガイドされ、回転することなく、ズーム動作で前後に作動するように構成されている。なお、これらのズーム鏡筒の作動に関しては、本件出願人によって出願された特許第３２２１９２７号等に記載された公知の技術であるので、詳細は記載しない。図４はズーム鏡筒の断面で、前述の固定筒４と作動筒５の係合部の断面を示している。固定筒４の内周には雌ヘリコイド４ａが設けられ、作動筒５の雄ヘリコイド５ａと係合している。作動筒５は図示しないギアにより回転力を受け、ズーム動作で回転しながら前後に作動する。固定筒４の先端には溝部４ｂがあり、その中に遮光部材８が配置されている。遮光部材８は固定筒４と作動筒５の嵌合部の隙間（図中Ａ）から入射する光を遮光する。また、遮光部材８は、ゴム等の弾性体で作られ、作動筒５の外径よりも若干小径につくられ、組み込み状態で、作動筒５の外径に密着するようになっている。
【０００５】
図５は、遮光部材８の断面図に示すもので、遮光部材８の内径部にはリブ８ｂが複数本設けられ、ズーム作動時、作動筒５と遮光部材８が摺動状態になったとき、遮光部材８が変形しても、作動筒５との密着を保つ目的で、設けられている。
【特許文献１】実公平０５−０３１６３４号公報
【特許文献２】実公平０６−０１８３２１号公報
【特許文献３】実開平０６−０３７８１１号公報
【特許文献４】特登録３２２１９２７号公報
【発明の開示】
【発明が解決しようとする課題】
【０００６】
しかし、この従来例では、ズーム鏡筒の作動時、例えば作動筒５がカメラ前方（図左側）に作動したとき、遮光部材８も前方に作動し、固定筒４の溝部４ｂの前方端面に当接して回転を規制されると、作動筒５の外周と遮光部材８のリブ８ｂは摺動状態となるが、作動筒５の外周と遮光部材８のリブ８ｂとが円周方向で線接触で密着している方向に対し、垂直な方向への摺動が発生するために、遮光部材８と作動筒５との接触部に摩擦が生じ、作動が重くなるという問題があった。また、この方向の作動で、遮光部材８が変形し、リブ８ｂに捲れの現象が発生し、作動筒５の外周と遮光部材８のリブ８ｂとの密着が保たれなくなると言う問題もあった。
【課題を解決するための手段】
【０００７】
そこで本発明では、撮影レンズを内包し、光軸方向に該撮影レンズを作動させるレンズ鏡筒で、該レンズ鏡筒は、少なくとも相対的に外周に配置される第１のレンズ鏡筒と、該第１のレンズ鏡筒の内部に配置される第２のレンズ鏡筒と、該第１のレンズ鏡筒と第２のレンズ鏡筒の嵌合部に配置され、該第１のレンズ鏡筒と第２のレンズ鏡筒の嵌合部から入射する光を遮光する、弾性体からなるリング状の遮光部材とを有し、該遮光部材は、その内周に該遮光部材と一体に、螺旋状に形成された遮光リブを有するように構成することにより、前述の問題を解決しようとするものである。
【発明の効果】
【０００８】
以上に説明したように、本発明によれば、遮光部材の内周のリブ形状を螺旋形状にすると言う簡単な構成で、ズーム鏡筒の作動負荷の軽減を図り、また、リブ部の捲れ当の現象も起こりにくくできる。
【発明を実施するための最良の形態】
【０００９】
（第１の実施例）
図１から図３を用いて、本発明の一実施例について説明する。図１に関しては従来例で説明したので、説明は省略する。図２は図４と同様に、ズーム鏡筒の断面を示すもので、構造は図４従来例と同じであるため、部品の番号は同じ物を使っている。改めて説明すると、図２は前述の固定筒４と作動筒５の係合部の断面を示すもので固定筒４の内周には雌ヘリコイド４ａが設けられ、作動筒５の雄ヘリコイド５ａと係合している。作動筒５は図示しないギアにより回転力を受け、ズーム動作で回転しながら前後に作動する。固定筒４の先端には溝部４ｂがあり、その中に遮光部材７が配置されている。遮光部材７は固定筒４と作動筒５の嵌合部の隙間（図中Ａ）から入射する光を遮光する。また、遮光部材７は、ゴム等の弾性体で作られ、作動筒５の外径よりも若干小径につくられ、組み込み状態で、作動筒５の外径に密着するようになっている。
【００１０】
さらに、図３は、本発明に関わる遮光部材７の断面図に示すもので、遮光部材７の内径部にはリブ７ｂが複数本設けられている。このリブ７ｂは遮光部材７の内径部に螺旋状に形成され、その螺旋方向は固定筒４の内周の雌ヘリコイド４ａと同方向になっている。
【００１１】
作動について説明すると、図２において作動筒５が回転し、例えばカメラ前方（図左側）に繰り出されたとき、遮光部材７も前方に移動して固定筒４の溝部４ｂの前方端面に当接して回転を規制されると、作動筒５の外周と遮光部材７のリブ７ｂは摺動状態となる。この時の理想の形態について説明すれば、固定筒４の内周の雌ヘリコイドのリードと、遮光部材７の内径部のリブ７ｂの螺旋形状のリードが同一であれば、遮光部材７が摺動状態になっても、ヘリコイドと遮光部材７のリブ７ｂのリードが同一であるため、作動筒５の外周とリブ７ｂとの線接触方向で摺動することとなり、この作動筒５の外周とリブ７ｂとの線接触方向と垂直方向の作動は発生せず、遮光部材７のリブ７ｂは摺動負荷が軽減され、また、捲れ等の現象を起こさない。
【００１２】
本実施例では、遮光部材７のリブ７ｂはヘリコイドよりリードが少なく設定されているが、リブ７ｂを螺旋形状としない従来の形態と比較したとき、相対的にリブ７ｂと作動筒５との線接触方向と垂直方向の摺動量が少なくなるために、作動負荷が軽減され、捲れ等の現象も起こりにくくなる。
【図面の簡単な説明】
【００１３】
【図１】本発明の第一の実施例のカメラの外観図
【図２】ズーム鏡筒の断面図
【図３】遮光部材７の断面図
【図４】従来の遮光部材８を組み込んだズーム鏡筒の断面図
【図５】従来の遮光部材８の断面図
【符号の説明】
【００１４】
１  カメラ本体
４  固定筒
５  作動筒
６  前群筒
７  遮光部材
【図１】
2006171196.tif 000003
【図２】
2006171196.tif 000004
【図３】
2006171196.tif 000005
【図４】
2006171196.tif 000006
【図５】
2006171196.tif 000007